(57)【特許請求の範囲】
【請求項１】
額縁フレームの端部同士を所定角度に結合する連結装置を有する組立式額縁において、該連結装置は、該所定角度を有する両基板片から成る基板と、該基板の外側端部に沿って配設した両側面と、該基板の各々の基板片の内側に設けた押下げ摘みと、該基板片の中央付近に設けた突起と、該基板片に設けた切り溝とから構成され、且つ、その基板及び両側面を一体成形され、該額縁フレームには、凹溝と側面溝と嵌合孔と補助孔とを形成し、該連結装置の両側面を該額縁フレームに形成した凹溝に挿入し、該連結装置の突起を補助孔に遊嵌させて該額縁フレームとの組立を一時的に保持し、さらに、該連結装置の突起を嵌合孔に嵌合させることにより該額縁フレームの端部同士を所定角度に結合し、前記額縁フレームは、その断面形状を変形したコ字型とし、該コ字型の下辺には円弧状のフレーム縁取と内側に下側挟持片とを設け、上辺には裏板ホルダーと嵌合する両側に挟持溝縁を有する挟持溝を設けた平面状の上側挟持片とを設け、側面にはフレーム側面を設け、さらに、上側挟持片に連結装置の突起と嵌合する嵌合孔及び補助孔を穿設したことを特徴とする組立式額縁。
【請求項２】
請求項１に記載された組立式額縁において、前記裏板ホルダーは、一端側に前記額縁フレームの上側挟持片を挟持する外側片及び内側片を設けたＵ型形状とし、該Ｕ型形状の空間部の外側片には外側片溝と外側片段差を設け、他端側に収納物全体の裏板を押圧する円弧状の弾性片を設けたことにより、該額縁フレームの挟持溝の両側に設けられた挟持溝縁に裏板ホルダーの外側片溝と外側片段差を掛止し、前記裏板ホルダーの円弧状の先端部近傍には紐孔を設けたことを特徴とする組立式額縁。
【請求項３】
請求項２に記載された組立式額縁において、裏板ホルダーは、前記Ｕ型形状の頂部と円弧状の弾性片との接続部に生じる紐掛け用のホルダー溝部及び弾性片の先端部とホルダー摘みとの間に摘み段部を設け、該組立式額縁の上辺の額縁フレームの中央に配置した裏板ホルダーの紐孔と、左右の両側辺の夫々の額縁フレームの中央から下側に配置した夫々の裏板ホルダーの紐孔と、に紐を通したことを特徴とする組立式額縁。
【発明の詳細な説明】
【０００１】
【発明の属する技術分野】
本発明は、絵画等の収納品を容易に取り替えができる連結装置を有する組立式額縁に関する。特に、連結装置、額縁フレーム及び裏板ホルダーの改良に関する。
【０００２】
【従来の技術】
従来から、組立式の額縁には種々の連結装置、額縁フレーム及び裏板ホルダーがある。この組立式の額縁においては、額縁の外周を構成しているフレーム材は、その両端を所定の角度に切断して成る額縁フレームを互いに連結装置によって結合したものである。また、裏板ホルダーは、このフレーム材若しくは連結装置に掛止して、額縁を該裏板ホルダーによって、壁等に取り付けている。
【０００３】
特開平０８−２４０９９（特願平０６−１８１８０８）によれば、連結具（連結装置に相当する。）は基板、保持枠及び蓋板を主な構成部材としてストッパーにより額縁フレームを固定するという、複雑な構造であった。また、実開平０３−７２７７０（実願平０１−１３５２０４）によれば、結合装置（連結装置に相当する。）は、額縁フレームの結合に従来のビス止めに代わってハンドル操作により一挙動作で緊締作業が行われていた。しかし、このハンドル操作による緊締作業では、フレームを締め付けて固定しているために、フレーム材及び結合装置の部材の変形、クリープ、撓みなどにより締め付けが弱くなる欠点があったので、外れる危険性があった。
【０００４】
また、実開平０３−４４４６５（実願平０１−１０５４７９）によれば、結合装置（連結装置に相当する。）は、該結合装置と額縁フレームとの結合を為すため、部材であるジョイント金具と該額縁フレームとの結合を額縁フレームの裏板に設けた切込み部分にジョイントのストッパーを掛止して結合している。この掛止を開放するためにジョイントに設けた押下用摘みで押し下げて開放することになっている。この押し下げ動作のとき、切込み部分の角部で怪我をする危険性があるので、押下用摘みにガード用囲いを設けた。
【０００５】
しかし、この囲いも十分でなく、時として怪我の危険性も残っている。さらに、特開平１１−４７３７（特願平０９−１６０２０７）においては、連結金具（連結装置に相当する。）は、額縁フレームの後側縁に沿う内側に設けられた凸縁に、凹溝が設けられており、該凹溝と連結金具の突出片が嵌合して結合するものである。この嵌合状態を確認するには、額縁フレームの凹溝を側面より観察する必要があるが、見ずらいきらいがある。従って、確認が十分にできない欠点があった。
【０００６】
また、特開平０８−２４０９７（特願平０６−１８１８０９）によれば、裏板ホルダーは額縁フレームの端部に掛止している状態で、掛け止めがやや不十分なこともあり、衝撃に弱くややもすると外れ易い欠点があった。
【０００７】
【発明が解決しようとする課題】
本発明は、連結装置を有する組立式額縁において、該連結装置における上記の欠点である複雑な構造を簡素化し、ハンドル操作による緊締作業のような不十分な締め付け作業を無くし、額縁フレームの切込み部分の角部での危険性を回避し、さらに該連結装置と額縁フレームとの嵌合を容易に確認することができる額縁フレームと連結装置を提供することを目的とする。
【０００８】
さらに、組立式額縁に掛止する裏板ホルダーの欠点である掛け止めがやや不十分で衝撃に弱くややもすると外れ易い欠点を解消することを目的とする。
【０００９】
【課題を解決するための手段】
上記目的を達成するために、本発明による連結装置を有する組立式額縁においては、下記のような手段を取った。
【００１０】
請求項１記載の本発明は、額縁フレームの端部同士を所定角度に結合する連結装置を有する組立式額縁において、該連結装置は、該所定角度を有する両基板片から成る基板と、該基板の外側端部に沿って配設した両側面と、該基板の各々の基板片の内側に設けた押下げ摘みと、該基板片の中央付近に設けた突起と、該基板片に設けた切り溝とから構成され、且つ、その基板及び両側面を一体成形され、該額縁フレームには、凹溝と側面溝と嵌合孔と補助孔とを形成し、該連結装置の両側面を該額縁フレームに形成した凹溝に挿入し、該連結装置の突起を補助孔に遊嵌させて該額縁フレームとの組立を一時的に保持し、さらに、該連結装置の突起を嵌合孔に嵌合させることにより該額縁フレームの端部同士を所定角度に結合し、前記額縁フレームは、その断面形状を変形したコ字型とし、該コ字型の下辺には円弧状のフレーム縁取と内側に下側挟持片とを設け、上辺には裏板ホルダーと嵌合する両側に挟持溝縁を有する挟持溝を設けた平面状の上側挟持片とを設け、側面にはフレーム側面を設け、さらに、上側挟持片に連結装置の突起と嵌合する嵌合孔及び補助孔を穿設したことを特徴とする組立式額縁である。
【００１１】
これは、構造簡単な連結装置と額縁フレームとにより、組立が簡単な額縁を提供することができるようになった。また、連結装置と額縁フレームとの結合は、該連結装置の突起と該額縁フレームの嵌合孔との嵌合によるので、該額縁フレームには連結装置との嵌合用の切り込み部分が無くなり、切り込み部分の角部による危険が無くなった。以下の請求項２乃至３に記載した発明も、同様の額縁フレームを使用しているので、角度による危険は無くなった。さらに、連結装置と額縁フレームとの結合は、該連結装置の突起と該額縁フレームの嵌合孔との嵌合とにより知ることができるが、この嵌合を額縁フレームの裏側の上面から容易に知ることができるので、結合を容易に確認することができる。
【００１２】
なお、本発明による額縁フレーム同士を所定角度に結合することは、各角部を全て同一の所定角度にすることを意味するものではない。各角部の夫々の予定された所定角度にすればよい。以下の請求項に記載の発明においても同様である。
【００１６】
また、連結装置の基板と両側面を一体成形することにより、生産数量の多い場合にはコストダウンを図ることができるようになった。
【００１７】
請求項２記載の本発明は、請求項１に記載された組立式額縁において、前記裏板ホルダーは、一端側に前記額縁フレームの上側挟持片を挟持する外側片及び内側片を設けたＵ型形状とし、該Ｕ型形状の空間部の外側片には外側片溝と外側片段差を設け、他端側に収納物全体の裏板を押圧する円弧状の弾性片を設けたことにより、該額縁フレームの挟持溝の両側に設けられた挟持溝縁に裏板ホルダーの外側片溝と外側片段差を掛止し、前記裏板ホルダーの円弧状の先端部近傍には紐孔を設けたことを特徴とする組立式額縁である。
【００１８】
これは、裏板ホルダーの外側片及び内側片とで、額縁フレームの上側挟持片を挟持したので、裏板ホルダーを強固に額縁フレームに取り付けることができ外れなくなった。
【００２６】
これは、構造簡単な連結装置、裏板ホルダー及び額縁フレームとにより、組立が簡単な額縁を提供することができるようになった。さらに、該裏板ホルダーに紐孔を設け、該紐孔に紐を通して展示するので、額縁を壁等に展示するときに容易になり、さらに壁等への掛止が完全となったので、額縁が壁等より外れて落下するような不測の事態を招かなくなった。

【００２７】
請求項３記載の本発明は、前記請求項２に記載された組立式額縁において、裏板ホルダーは、前記Ｕ型形状の頂部と円弧状の弾性片との接続部に生じる紐掛け用のホルダー溝部及び弾性片の先端部とホルダー摘みとの間に摘み段部を設け、該組立式額縁の上辺の額縁フレームの中央に配置した裏板ホルダーの紐孔と、左右の両側辺の夫々の額縁フレームの中央から下側に配置した夫々の裏板ホルダーの紐孔と、に紐を通したことを特徴とする組立式額縁である。
【００２８】
これは、前記紐を額縁フレームの上辺の裏板ホルダーの近辺で束ねて、掛止用フックに引掛けると良い。すなわち、左右の夫々の裏板ホルダーを左右の両側辺の夫々の額縁フレームの適宜位置に、例えば、該両側辺の下半分の位置に配置すると、前記組立式額縁の重量バランスが良いので、組立式額縁を壁等に取り付ける際に、前記上辺の裏板ホルダーの近辺で束ねた紐を壁等の掛止用フックに掛止するのに適切である。言ってみれば、３点紐掛け式額縁というものである。
【００２９】
【発明の実施の形態】
以下に、本発明の実施の形態を図面にもとづいて説明する。
【００３０】
図１は、連結装置、額縁フレーム及び裏板ホルダーとを有する組立式額縁の裏側から見た分解斜視図である。図２乃至図５は、連結装置と額縁フレームとの結合状態を順次示した額縁の背面から見た背面図である。すなわち、図２は、連結装置と額縁フレームとの結合前の背面図である。図３は、連結装置に上部に図示した額縁フレームが完全に挿嵌された状態で、下部の額縁フレームが連結装置の途中まで挿嵌され始めた状態を示した背面図である。図４は、連結装置に上部に図示した額縁フレームが完全に挿嵌された状態で、下部の額縁フレームが連結装置の中間位置まで挿嵌された状態を示した背面図である。図５は、連結装置に両額縁フレームが完全に挿嵌された状態を示す背面図である。また、図６は、連結装置と額縁フレームとの挿嵌された状態及び収納物全体の挿嵌状態を示す断面図である。
【００３１】
図７は、裏板ホルダーの斜視図である。図８は、額縁フレームと裏板ホルダーとの嵌合を説明するための側面図である。図９は、額縁フレームと裏板ホルダーとの嵌合を示す断面図である。図１０は、裏板ホルダーを額縁フレームに挿嵌した状態を額縁の裏から見た背面図である。
【００３２】
図１１は、組立式額縁を裏からみた背面図である。図１２は、収納物全体を額縁フレームに取り付け、さらに、裏板ホルダーを額縁フレームに挿嵌した状態を示す断面図である。
【００３３】
図１３は、他の実施形態における３点紐掛け式額縁を裏から見た背面図である。図１４は、他の実施形態における３点紐掛け式額縁の側面図である。図１５は、他の実施形態における３点紐掛け式額縁の説明のための斜視図である。
【００３４】
次に、本発明の実施の形態について図1乃至図６及び図１１により説明する。
【００３５】
組立式額縁Ａは、図１１に示すように、額縁フレーム３０ａと額縁フレーム３０ｂとを連結装置１ａで結合し、額縁フレーム３０ｂと額縁フレーム３０ｃとを連結装置１ｂで結合し、額縁フレーム３０ｃと額縁フレーム３０ｄとを連結装置１ｃで結合し、そして、額縁フレーム３０ｄと額縁フレーム３０ａとを連結装置１ｄで結合すると、四辺形の額縁が組み立てられる。さらに、裏板ホルダー５０ａ，５０ｂ，５０ｃ，５０ｄ，５０ｅ，５０ｆを額縁フレーム３０ａ，３０ｂ，３０ｃ，３０ｄにそれぞれ取り付けるようにした構成となっている。
【００３６】
なお、ここでは図１１に示す四辺形の組立式額縁Ａについて説明したが、本発明の実施の形態は四辺形の組立式額縁Ａに限定されるものではなく、前記同様に順次額縁フレーム３０ａ，３０ｂ・・・の夫々の隣り合う額縁フレーム同士を連結装置１ａ，１ｂ・・・で結合することにより、多角形の額縁についても組み立てられる構成となっている。
【００３７】
次に、各構成の詳細について説明する。まず、連結装置について説明する。
【００３８】
図１に示すように、連結装置１は、所定角度αを有する両基板片２ａ，２ｂから成るＬ型板状の基板２を設け、該基板２の外側端部に沿って配設した両側面３ａ，３ｂを設け、該両基板片２ａ，２ｂには、該基板２の内側に押下げ摘み４ａ，４ｂ及び基板片２ａ，２ｂの中央付近に突起５ａ，５ｂを設け、さらに、前記両側面３ａ，３ｂ側にて基板片２ａ，２ｂに切り欠いた切り溝６ａ，６ｂを設けたものである。
【００３９】
なお、図1乃至図４は、該切り溝６ａ，６ｂは、基板片２ａ，２ｂの側面３ａ，３ｂ側に設けられているが、これに限定されるものではない。該突起５ａ，５ｂを避けた位置であれば、基板片２ａ，２ｂの適宜の位置にて切り欠いて切り溝６ａ，６ｂとすれば良い。要するに、後記する押下げ摘み４ａ，４ｂを押し下げたとき、基板片２ａ，２ｂが弾性力に抗して変形して押し下げられれば良い。
【００４０】
次に、押下げ摘みについて詳細に説明する。
【００４１】
図１に示すように、連結装置１の内側で両基板片２ａ，２ｂの端部の内側への突出片に押下げ摘み４ａ，４ｂが設けられている。該押下げ摘み４ａは額縁の裏側（すなわち、図１の状態）から見たときに、一方を垂直に立ち上げた摘み垂直面４ａ１とし、その頂点を丸めて、他方を逆円弧状の傾斜面とした摘み傾斜面４ａ２とした突起形状としている。これは、押下げ摘み４ａを指先で押し下げたとき、押し下げ易くした形状である。
【００４２】
また、一方を垂直にしたのは摘み垂直面４ａ１の前方（すなわち、連結装置の角部の方向）へ指先が掛からないように配慮したものである。すなわち、該摘み垂直面４ａ１の前方は組立途中の若しくは組立解除途中の額縁フレーム３０ａ（例えば、図３または図４の状態）の端部３１ａがあり鋭利な角度となっているために、怪我の危険を回避するためである。また、垂直形状の摘み垂直面４ａ１は、額縁フレーム３０ａの嵌合孔３３ａとの嵌合を確実なものにするためである。以上の説明は、押下げ摘み４ａについて述べたが、押下げ摘み４ｂについても同様である。
【００４３】
次に、押下げ摘み４ａ，４ｂの操作について説明する。
【００４４】
絵画等の収納品７２を取り替えるために、組立式額縁Ａの組立を解除するとき、押下げ摘み４ａを下方へ押し下げる。そうすると、突起５ａと嵌合孔３３ａとの嵌合が解除され、連結装置１と額縁フレーム３０ａとの結合状態が解除される。
【００４５】
このように、突起５ａと嵌合孔３３ａとの嵌合及び解除ができるように、連結装置１には工夫がしてある。すなわち、前記連結装置１の切り溝６ａは、押下げ摘み４ａを下方へ押下げたとき、突起５ａと額縁フレーム３０ａの嵌合孔３３ａとの掛止を解くために、基板片２ａに弾力を持たせたものである。
【００４６】
該基板片２ａの弾性力により押下げ摘み４ａを下方へ押下げることができるのである。該基板片２ａは、弾性力を必要とするので、素材として合成樹脂成形品若しくは薄板のステンレス、鋼板等を使用すると良い。以上の説明は、押下げ摘み４ａの操作について述べたが、押下げ摘み４ｂの操作についても同様である。
【００４７】
次に、突起について詳細に説明する。
【００４８】
図１に示すように、突起５ａは、額縁の裏側（すなわち、図１の状態）から見たときに、連結装置１の角部側を垂直に立ち上げた突起垂直面５ａ１とし、基板片２ａの端部側へ該突起垂直面５ａ１の頂部に平面を設け突起平面部５ａ３とし、さらに、該突起平面部５ａ３より下方へ傾斜して突起傾斜面５ａ２とした突起形状である。以上の説明は、突起５ａの形状について述べたが、突起５ｂの形状についても同様である。
【００４９】
該突起５ａは、額縁フレーム３０ａに穿設された嵌合孔３３ａに嵌合し、該連結装置１と該額縁フレーム３０ａとを結合して固定するものである。結合の詳細は後記する。なお、該突起５ａ及び嵌合孔３３ａは、図１においては、額縁Aの裏面から見て共に四辺形をしているが、該四辺形に限定されるものではない。突起と嵌合孔との嵌合が可能な手段ならば、いずれの形状でも良い。例えば、突起を先端部を球形とした円柱で、嵌合孔を円形としても良い。要するに、嵌合して固定する形状ならば良い。以上の説明は、突起５ａと嵌合孔３３ａについて述べたが、突起５ｂと嵌合孔３３ｂについても同様である。
【００５０】
また、連結装置１を構成している部材の素材について説明すると、基板２と両側面３ａ，３ｂとを一体成形しても良い。そのときは合成樹脂成形品を選択することが適切である。また、一体成形することが不適当なときは、両側面３ａ，３ｂは金属板またはアルミニウム若しくは亜鉛合金等のダイキャスト成形品等で製作し、基板２は弾性力を必要とするために弾性体であるステンレス材、合成樹脂成形品等で製作し、両側面３ａ，３ｂにネジ止め等の適切な組立手段で取り付ければよい。いずれにしろ、額縁の製品の大きさ、市場規模等に応じた生産手段をとり、適正な価格にする必要がある。
【００５１】
次に、額縁フレームについて説明する。
【００５２】
図１乃至図６に示すように、額縁フレーム３０ａは、押出し成形品にて、その断面形状をコ字型としているが、完全なコ字型ではなく、変形した型である。詳しく説明すると、コ字型の下辺（図１に示す下部の形状）には円弧状のフレーム縁取３４ａと内側に下側挟持片３５ａとを設け、上辺（図１に示す上部の形状）には挟持溝３６ａを設けた平面状の上側挟持片３７ａを設け、コ字型の側面にはフレーム側面３８ａを設けたものである。
【００５３】
また、該フレーム縁取３４ａを円弧状とし、その端部を丸めた形状としてフレーム縁取端部３４ａ１としている。このような形状としたのは、意匠効果を高めるためである。さらに、円弧状のフレーム縁取３４ａの表面に線条の凹凸の意匠を施すと意匠効果をより一層高めることができる。
【００５４】
また、上側挟持片３７ａの内側には、凹溝３２ａ１を設け、下側挟持片３５ａの内側には凹溝３２ａ２を設けている。これは、連結装置１の側面３ａを挿嵌するための溝である。さらに、該凹溝３２ａ１，３２ａ２とフレーム側面３８ａとの間には側面溝４０ａ１，４０ａ２を設けている。これは、該凹溝３２ａ１，３２ａ２に代わって、該側面溝４０ａ１，４０ａ２に連結装置１の側面３ａを挿嵌しても良い。また、これらの凹溝３２ａ１，３２ａ２と側面溝４０ａ１，４０ａ２を構成しているリブにより上側挟持片３７ａ及び下側挟持片３５ａを補強している。
【００５５】
また、上側挟持片３７ａには、連結装置１の突起５ａと嵌合する嵌合孔３３ａを穿設し、該嵌合孔３３ａの前方（端部３１ａの方向）に補助孔３９ａが穿設されている。該補助孔３９ａにも、前記突起５ａと嵌合するが、固定するものではなく、遊嵌である。これは、連結装置１と額縁フレーム３０ａとを組立若しくは解除の途中で一時的に保持するものである。これにより、組立若しくは解除作業が容易となる。詳細は後記する。
【００５６】
また、追加して説明すると、額縁フレーム３０ａの断面形状は、図８に示すように、上側挟持片３７ａを設けている。該上側挟持片３７ａには、一段下がった平行な位置に挟持溝３６ａを設けている。その段差を成す部分には窪みを持った挟持溝縁３６ａ１を設け、反対側には挟持溝３６ａの端面を成して窪みを持った挟持溝縁３６ａ２を設けている。窪みを持っている該挟持溝縁３６ａ１，３６ａ２には、裏板ホルダー５０ａの外側片５１ｂが嵌合する。該裏板ホルダー５０ａとの嵌合の詳細については後記する。
【００５７】
更に、額縁フレーム３０ａの素材について説明すると、ステンレス、合成樹脂若しくはアルミニウム素材等の押出し成形品を選択することが適切である。以上の説明は、額縁フレーム３０ａの形状、突起５ａと嵌合孔３３ａとの嵌合及び挟持溝３６ａと裏板ホルダー５０ａの外側片５１ｂとの嵌合について述べたが、額縁フレーム３０ｂについても同様である。
【００５８】
次に、連結装置と額縁フレームとの結合について説明する。
【００５９】
以下の説明では、主として額縁フレーム３０ａと連結装置１との嵌合について説明するが、額縁フレーム３０ｂと連結装置１との嵌合も同様のため、説明を省略する場合もある。以下に、結合の手順の一例を説明する。
【００６０】
図１乃至図６に示すように、まず、該連結装置１と額縁フレーム３０ａ、３０ｂとを図１または図２のように置く。次に、図３に示すように、片側の額縁フレーム３０ａを連結装置１に挿嵌する。次に、図３に示すように、もう一方の額縁フレーム３０ｂを連結装置１に挿入し、さらに、図４に示す位置まで挿入し、次に、図５に示すように、挿嵌して、額縁フレーム３０ａ，３０ｂの端部３１ａ，３１ｂ同士を当接して、所定角度αとなり、この角部の組立を完了する。順次、各角部の連結装置に額縁フレームを挿嵌すると、組立式額縁の組立が完了する。なお、収納品７２を取り替えるときは、上記の作業を逆に行えば良い。
【００６１】
以下に、結合の詳細を説明する。
額縁フレーム３０ａの上側挟持片３７ａに設けた凹溝３２ａ１と下側挟持片３５ａに設けた凹溝３２ａ２に、連結装置１の側面３ａを挿入すると、図３に示す位置では、端部３１ａが突起５ａに乗り上げ、順次図４の位置まで挿入すると、補助孔３９ａに該突起５ａが嵌合し仮止めとなる。このときは遊嵌となる。さらに、挿入すると、図５に示すように、該突起５ａは該額縁フレーム３０ａの嵌合孔３３ａに突出して嵌合する。そうすると、突起垂直面５ａ１と嵌合孔３３ａの端面とが当接し、同様に、額縁フレーム３０ｂを連結装置１に嵌合させる。但し、図３及び図４では、額縁フレーム３０ｂは当初より突起５ｂと嵌合孔３３ｂは嵌合した状態になっている。そうすると、前記額縁フレーム３０ａ，３０ｂは端部３１ａ，３１ｂ同士が当接し、所定角度αに結合することとなる。また、該突起５ａと該嵌合孔３３ａとの嵌合は、組立式額縁Ａの裏側の上面から容易に観察することができるので、十分な嵌合かどうかを簡単に見分けることができる。
【００６２】
なお、収納品７２を取り替えるときは、上記の作業を逆に行えば良い。特に、図４に示す前記補助孔３９ａに突起５ａを遊嵌させると、額縁フレーム３０ａと連結装置１とは仮止めの状態になる。同様に、額縁フレーム３０ｂと連結装置１とを仮止め状態にする。順次、他の角部についても、額縁フレームと連結装置とを仮止め状態にすると、全ての角部で仮止め状態になるので、このときに収納品７２を取り替えると良い。このように収納品７２の取り替え作業において、全ての部材を分解する必要が無くなり、取り替え作業が容易となった。
【００６３】
また、該額縁フレーム３０ａ，３０ｂの端部３１ａ，３１ｂ同士は結合状態では、所定角度αとなる。図１乃至図５の場合は、フレーム角度βは４５度に設定されているので、所定角度αは９０度になる。但し、該所定角度αは、９０度に限定するものではない。四辺形の額縁の場合は、９０度に設定するのが一般的と思われるが、多角形の場合の所定角度若しくは変形した意匠の額縁フレームの所定角度においては、適宜の角度に設定される。但し、α＝２βとなるのが良い。また、所定角度α＝９０度、フレーム角度β＝４５度の四辺形の場合は、額縁フレームの上辺と下辺が同じ部品となり、左右の額縁フレームが同じとなるので、部品の共通化、同一角度による生産の共有化などのメリットがある。同様に、多角形でも、α＝２βとすると、適宜に部品の共通化を図ることができる。
【００６４】
また、図１に示す裏板ホルダー５０ｂは、額縁フレーム３０ｂに嵌合するものである。勿論、図示していないが、裏板ホルダー５０ａは額縁フレーム３０ａにも嵌合するものである。嵌合の詳細は後記する。
【００６５】
次に、裏板ホルダーの形状及び作用について図７乃至図１０により説明する。
【００６６】
額縁フレーム３０ａに掛止する裏板ホルダー５０ａは、一端側をＵ型形状５１とし該Ｕ型形状５１の頂部より他端側へ円弧状とした弾性片５４を延設し、該弾性片５４の端部側に紐孔リブ５５１立設し該紐孔リブ５５１に紐孔５５ａを設け、さらに該紐孔リブ５５１の頂部に円弧状から平坦形状としたホルダー摘み５６を設けたものである。
【００６７】
該Ｕ型形状５１は、開口側を開口部５２、その奥を空間部５３とし、片方の脚を内側片５１ａとし、他方の脚を外側片５１ｂとしたものである。該空間部５３の形状は、該内側片５１ａでは、開口部５２側には一段下がった内側片段差５１ａ２を設け、奥側には内側片突起５１ａ１を設け、そして、該外側片５１ｂでは、開口部５２側には一段上がった外側片段差５１ｂ２を設け、奥側には外側片溝５１ｂ１を設けている。なお、Ｕ型形状５１の空間部５３は、額縁フレーム３０ａの上側挟持片３７ａを挿入し固定するものである。
【００６８】
図８、図９及び図１２に示すように、裏板ホルダー５０ａの開口部５２より額縁フレーム３０ａの上側挟持片３７ａをＵ型形状５１で挟み込むように空間部５３に挿入すると、外側片５１ｂに設けた外側片溝５１ｂ１と外側片段差５１ｂ２とが、該上側挟持片３７ａの挟持溝３６ａに設けられた挟持溝縁３６ａ１，３６ａ２に嵌合し固定される。また、同時に内側片５１ａに設けられた内側片突起５１ａ１と内側片段差５１ａ２とで該上側挟持片３７ａを挟み込むように固定する。
【００６９】
また、裏板ホルダー５０ａの素材は、弾性力を有するもの、例えば合成樹脂成形品、バネ性のある鋼板若しくはステンレス等を選択すると、その弾性力により挟み込む力はより強固になる。また、円弧状の弾性片５４の下部は内側片５１ａの外側の平坦部より若干下がった位置にある。これは、収納物全体７０を額縁フレーム３０ａに挿入し固定したときに、収納物全体７０の裏板７３に弾性片５４を押し付けて、裏板ホルダー５０ａと額縁フレーム３０ａとをより強固に固定するためである。
【００７０】
また、前記裏板ホルダー５０ａの円弧状の弾性片５４の先端部側に紐孔リブ５５１を立設し該紐孔リブ５５１に穿設された紐孔５５ａを設けた。該紐孔５５ａは設けなくても良い。通常は、該紐孔５５ａに紐９０を通して組立式額縁Ａを壁等に掛止することができる。
【００７１】
しかし、紐孔５５ａが無い場合は、Ｕ型形状５１の頂部と円弧状の弾性片５４との接続部に生じるホルダー溝部５７または円弧状の弾性片５４の先端部とホルダー摘み５６との間に生じた溝である摘み段部５８に紐９０を引掛けて壁等に掛ければ良い。なお、紐掛けをしない場合は当然ながら裏板ホルダー５０ａは不要である。紐掛けしない場合は、額縁自体を壁等に寄り掛ければ良い。
【００７２】
次に、紐の掛け方を説明する。
【００７３】
図１１に示すように、裏板ホルダー５０ａ，５０ｅに紐９０を掛ければ良い。または、該紐９０を裏板ホルダー５０ｂ，５０ｄに掛ければ良い。または、該紐９０を裏板ホルダー５０ａ，５０ｅ，５０ｂ，５０ｄに掛ければ良い。このように適宜裏板ホルダーを選択して紐９０を掛ければ良い。さらに、裏板ホルダー５０ａ，５０ｂ，５０ｃ，５０ｄ，５０ｅ，５０ｆの位置は、適宜選択すれば良い。さらに付け加えて説明すると、裏板ホルダーの個数は図１１の６個に限定されるものではないので、適宜選択すれば良い。
【００７４】
次に、図１２により額縁フレーム３０ａによる収納物全体７０の収納状態について説明する。該収納物全体７０は、透明シート７１、収納品７２及び裏板７３とから構成されている。該収納品７２は、絵画、写真のみならず説明図等の展示用シートをも含むものである。
【００７５】
展示するものは、絵画、写真のみならず、例えば商品説明用の説明書き等も額縁に入れて説明することもあり、表彰状等も額縁に保管されるのが通常である。また、裏板７３は合成樹脂のシート又は薄板材若しくは合板等である。本発明における額縁は、絵画、写真用だけではなく、広く一般の展示物の展示用も含むものである。
【００７６】
次に、他の実施の形態における３点紐掛け式額縁について説明する。
【００７７】
これは、組立式額縁の重量バランスを考慮して、裏板ホルダーの配置を適切にしたものである。図１３乃至図１５に示すように、該組立式額縁Ａの上辺の額縁フレーム３０ａの中央に配置した裏板ホルダー５０ａの紐孔５５ａと、左右の両側辺の夫々の額縁フレーム３０ｂ、３０ｄの中央から下側に配置した夫々の裏板ホルダー５０ｂ、５０ｄの紐孔５５ｂ、５５ｄと、に紐９０を通す。
【００７８】
そして、前記紐９０の紐の頂部９１，９１を額縁フレーム３０ａの上辺の裏板ホルダー５０ａの近辺で束ねて、掛止用フック９５に掛止すると良い。すなわち、左右の夫々の裏板ホルダー５０ｂ、５０ｄを左右の両側辺の夫々の額縁フレーム３０ｂ、３０ｄの適宜位置に、例えば、該側辺の中央から下側の半分（すなわち、下側半分）の位置に配置すると、前記組立式額縁Ａの重量バランスが良いので、前記紐の頂部９１、９１を束ねて組立式額縁Ａを壁９６等の適宜位置に取付けた掛止用フック９５に掛止するのに適切である。
【００７９】
詳しく説明すると、図１３に示すように、額縁フレーム３０ａの上辺を長さＬａとすると、その半分（１／２×Ｌａ）の位置に配置された裏板ホルダー５０ａと、左右の額縁フレーム３０ｂ、３０ｄの両側辺の長さＬｂ、Ｌｄの夫々の下側半分（１／２×Ｌｂ，１／２×Ｌｄ）の適宜位置に配置された裏板ホルダー５０ｂ、５０ｄとに、紐９０を通し、裏板ホルダー５０ａの紐孔５５ａ近傍の紐の頂部９１、９１を束ねて、図１３に示すように掛止用フック９５に掛止すると良い。なお、図１３では、ＬｂとＬｄは同じ長さである。
【００８０】
しかし、変形した額縁では、ＬｂとＬｄは違う場合もある。変形した四辺形の場合も、重量バランスを考慮すると、裏板ホルダーは左右の額縁フレームの両側辺の長さの下側半分の適宜位置に配置することが良い。その他の多角形の場合も同様に、重量バランスを考慮して、裏板ホルダーを重心位置の下側半分の適宜位置に配置すると良い。
【００８１】
【発明の効果】
本発明は、以上の説明から、以下に記載されるような効果を奏する。
【００８２】
本発明の組立式額縁では、額縁フレーム、連結装置及び裏板ホルダーを構成部材としているので、複雑な部材が無く、構造を簡素化したので、ハンドル操作による緊締作業のような不十分な締め付け作業を無くし、組立が簡単にできる額縁を提供することができた。
【００８３】
また、額縁フレームの切込み部分の角部を無くしたので、該角部による危険性を回避することができ、さらに、該連結装置と額縁フレームとの嵌合を突起と嵌合孔により容易に確認することができるようになった。
【００８４】
また、裏板ホルダーの掛け止めを確実にするために、紐を紐孔に通す、またはホルダー溝部等に引掛けることにより、外れ易さの欠点を解消することができた。
【００８５】
さらに、本発明の３点紐掛け式額縁の場合は、額縁の重量バランスを配慮したので、額縁の取り付けが容易となり、額縁の取付取外しの作業がより容易となった。
【００８６】
以上の説明は、開示された実施の形態のすべての点で例示であり制限的なものではない。従って、本発明の範囲は、上記の説明に限定されたものではなく、特許請求の範囲によって示されるものであり、特許請求の範囲と均等の意味及び範囲内のすべての変更が含まれることが意図されている。
【図面の簡単な説明】
【図１】本発明による連結装置、額縁フレーム及び裏板ホルダーとを有する組立式額縁の裏側から見た分解斜視図である。
【図２】本発明による連結装置と額縁フレームとの結合前の背面図である。
【図３】本発明による連結装置に上部に図示した額縁フレームが完全に挿嵌された状態で、下部の額縁フレームが連結装置の途中まで挿嵌され始めた状態を示した背面図である。
【図４】本発明による連結装置に上部に図示した額縁フレームが完全に挿嵌された状態で、下部の額縁フレームが連結装置の中間位置まで挿嵌された状態を示した背面図である。
【図５】本発明による連結装置に両額縁フレームが完全に挿嵌された状態を示す背面図である。
【図６】本発明による連結装置と額縁フレームとの挿嵌された状態及び収納物全体の挿嵌状態を示す断面図である。
【図７】本発明による裏板ホルダーの斜視図である。
【図８】本発明による額縁フレームと裏板ホルダーとの嵌合を説明するための断面図である。
【図９】本発明による額縁フレームと裏板ホルダーとの嵌合を示す断面図である。
【図１０】本発明による裏板ホルダーを額縁フレームに嵌挿した状態を額縁の裏から見た背面図である。
【図１１】本発明による組立式額縁を裏からみた背面図である。
【図１２】本発明による裏板ホルダーを額縁フレームに挿嵌し、さらに、収納物は額縁フレームに取り付けた状態を示す断面図である。
【図１３】本発明による他の実施形態における３点紐掛け式額縁を裏から見た背面図である。
【図１４】本発明による他の実施形態における３点紐掛け式額縁の側面図である。
【図１５】本発明による他の実施形態における３点紐掛け式額縁の説明のための斜視図である。
【符号の説明】
Ａ  組立式額縁    α  所定角度    β  フレーム角度
１，１ａ，１ｂ，１ｃ，１ｄ、・・・  連結装置
２  基板    ２ａ，２ｂ  基板片    ３ａ，３ｂ  側面
４ａ，４ｂ  押下げ摘み    ４ａ１  摘み垂直面
４ａ２  摘み傾斜面
５ａ，５ｂ  突起    ５ａ１  突起垂直面
５ａ２  突起傾斜面    ５ａ３  突起平面部
６ａ，６ｂ  切り溝
３０ａ，３０ｂ、３０ｃ、３０ｄ、・・・  額縁フレーム
３１ａ，３１ｂ  端部
３２ａ１，３２ａ２  凹溝
３３ａ，３３ｂ  嵌合孔
３４ａ  フレーム縁取
３４ａ１  フレーム縁取端部
３５ａ，３５ｂ  下側挟持片
３６ａ，３６ｂ  挟持溝    ３６ａ１，３６ａ２  挟持溝縁
３７ａ、３７ｂ  上側挟持片    ３８ａ，３８ｂ  フレーム側面
３９ａ，３９ｂ  補助孔
４０ａ１，４０ａ２  側面溝
５０ａ，５０ｂ，５０ｃ，５０ｄ，５０ｅ，５０ｆ  裏板ホルダー
５１  Ｕ型形状
５１ａ  内側片    ５１ａ１  内側片突起    ５１ａ２  内側片段差
５１ｂ  外側片    ５１ｂ１  外側片溝      ５１ｂ２  外側片段差
５２  開口部    ５３  空間部    ５４  弾性片
５５ａ，５５ｂ，５５ｄ  紐孔
５５１  紐孔リブ    ５６  ホルダー摘み
５７  ホルダー溝部    ５８  摘み段部
７０  収納物全体    ７１  透明シート    ７２  収納品    ７３  裏板
９０  紐    ９１  紐の頂部    ９５  掛止用フック    ９６  壁
【図１】
0003757393.tif 000002
【図２】
0003757393.tif 000003
【図３】
0003757393.tif 000004
【図４】
0003757393.tif 000005
【図５】
0003757393.tif 000006
【図６】
0003757393.tif 000007
【図７】
0003757393.tif 000008
【図８】
0003757393.tif 000009
【図９】
0003757393.tif 000010
【図１０】
0003757393.tif 000011
【図１１】
0003757393.tif 000012
【図１２】
0003757393.tif 000013
【図１３】
0003757393.tif 000014
【図１４】
0003757393.tif 000015
【図１５】
0003757393.tif 000016